(57)【要約】【課題】口腔診療を安全、快適、スムーズに行える口腔医療用マスク及びその使用方法を提供する。【解決手段】口腔医療用マスク及びその使用方法において、マスクはマスク体1及びバンド体セット2を備え、マスク体1は撥水層11、隔離層12、吸水層13を備え、隔離層12と撥水層11は共同で開口10を設置し、吸水層13は撥水層11と隔離層12との間に配置し、バンド体セット2はマスク体1の両側に固定し、これにより開口10を通して患者に口腔診療を行う時には、顔面を適当に保護できるばかりか、開口10と吸水層13を通して口からあふれる汚水を吸収し、口腔診療をより安全、快適、スムーズに行うことができる。【選択図】図５
2014061371.tif 000002
【特許請求の範囲】
【請求項１】
口腔医療用マスクは、マスク体、バンド体セットを備え、
該マスク体は、撥水層、隔離層、吸水層を備え、
該隔離層は、該撥水層と共同で開口を設置し、
該吸水層は、該撥水層と該隔離層との間に配置し、
該バンド体セットは、該マスク体の両側に固定することを特徴とする口腔医療用マスク及びその使用方法。
【請求項２】
前記開口は、該マスク体の中央位置に形成することを特徴とする請求項１に記載の口腔医療用マスク。
【請求項３】
前記吸水層、該隔離層、該撥水層は共同で、該開口を設置し、
該吸水層は、該開口上方に対応し、貫通部を形成することを特徴とする請求項１に記載の口腔医療用マスク。
【請求項４】
前記マスク体は、底縁を備え、
該吸水層は、該底縁と該開口との間に設置することを特徴とする請求項１に記載の口腔医療用マスク。
【請求項５】
前記口腔医療用マスクはさらに、ろ過層を備え、
該ろ過層は、該撥水層と該吸水層との間に配置することを特徴とする請求項１に記載の口腔医療用マスク。
【請求項６】
前記バンド体セットは、２個の固定バンドを備え、
該２個の固定バンドは、該マスク体の両側にそれぞれ固定して設置し、
該各固定バンドの両端は、該マスク体側辺の上、下端にそれぞれ固定することを特徴とする請求項１に記載の口腔医療用マスク。
【請求項７】
口腔医療用マスクは、マスク体、バンド体セットを備え、
該マスク体には、開口を設置し、
該吸水層は、該マスク体上に設置し、該開口周囲に対応して配置することを特徴とする口腔医療用マスク。
【請求項８】
前記口腔医療用マスクはさらに、隔離層を備え、
該マスク体は、底縁を備え、
該隔離層と該吸水層は共同で、該底縁と該開口との間に固定されることを特徴とする請求項７に記載の口腔医療用マスク。
【請求項９】
前記マスク体は、底縁を備え、
該底縁から延伸し、反対に折り返し、収容設置袋を形成し、
該吸水層は、交換可能となり、該収容設置袋に収容設置されることを特徴とする請求項７に記載の口腔医療用マスク。
【請求項１０】
前記口腔医療用マスクの使用方法は、以下のステップを含み、
ａ）該マスク体を人の顔面に装着し、
ｂ）該開口を開き、該開口を通して、人の口を露出させることを特徴とする請求項１に記載の口腔医療用マスクの使用方法。
【発明の詳細な説明】
【技術分野】
【０００１】
本発明はマスクに関し、特に口腔医療用マスク及びその使用方法に関する。
【背景技術】
【０００２】
一般に歯周病及び虫歯等口腔疾病をわずらっている時には、患者は會去歯科クリニック或いは病院で診察を受ける。
歯科では診療を行うに当たり、多くは患者を診療イス上に横たわらせ、研磨ツール、歯間洗浄機等の設備を用いて患者の診療を行う。
【０００３】
診療時には、患者は口を開けていなければならないため、歯科では洗浄器、その水を吸うためのチューブを患者の口に掛ける。
これにより、治療時には、患者の唾液、血液、研磨された歯のくずなどは、流され、吸い取られ、歯の治療時の視界と作業に影響を及ぼすことはない。
【０００４】
しかし、洗い流す過程で、或いは患者本人の唾液が溢れ、口から流れ出す状況があったとしても、患者は身体を起こしてぬぐったりすることはできないため、不快に感じることもある。
さらには、患者の衣服を汚れた水で汚してしまうことさえある。
【０００５】
本発明は、従来の口腔医療用マスク及びその使用方法の上記した欠点に鑑みてなされたものであり、本発明人は上記した従来の技術に対して、研究を重ね、学理を運用し、欠点を克服した。
【先行技術文献】
【特許文献】
【０００６】
【特許文献１】実用新案登録第３１３３１６０号公報
【特許文献２】実用新案登録第３１００２３７号公報
【特許文献３】特開２００２−３４５８５１号公報
【発明の概要】
【発明が解決しようとする課題】
【０００７】
本発明が解決しようとする課題は、マスクに開口を設置し、吸水層を備えるため、患者が口を開けて口腔診療を行っている時に、開口及び吸水層が口からあふれ出す汚水を吸収することで、患者が不快に感じたり、或いは外見を汚したりすることもなく、口腔治療をより快適にスムーズに行うことができる口腔医療用マスク及びその使用方法を提供することである。
【課題を解決するための手段】
【０００８】
上記課題を解決するため、本発明は下記の口腔医療用マスク及びその使用方法を提供する。
口腔医療用マスクは、マスク体、バンド体セットを備え、
該マスク体は、撥水層、隔離層、吸水層を備え、
該隔離層は、該撥水層と共同で開口を設置し、
該吸水層は、該撥水層と該隔離層との間に配置し、
該バンド体セットは、該マスク体の両側に固定し、
口腔医療用マスクは、マスク体、バンド体セットを備え、
該マスク体には、開口、吸水層を設置し、
該吸水層は、該マスク体上に設置し、該開口周囲に対応して配置する。
【０００９】
請求項1〜10中の任意の一項に記載の口腔医療用マスクの使用方法は、以下のステップを含み、
ａ）該マスク体を人体の顔面に装着し、
ｂ）該開口を開き、該開口を通して、人の口を露出させる。
【発明の効果】
【００１０】
本発明の口腔医療用マスク及びその使用方法は、以下の効果を備える。
本発明口腔医療用マスクの使用方法において、マスク体は、顔面に対応してこれを覆い、この時、開口は口を露出し、歯科医が開口を通して患者の口に対して治療を行う時、口の中の汚水があふれ出しても、吸水層が直ちに吸収してくれるため、汚水が患者の顔面へ流れ、或いは衣服を汚すことを回避でき、こうして患者は口腔診療において快適性と清潔性を感じることができる。
口腔診療時には、マスク体は医療工具、医療スタッフ或いは他の異物が顔の皮膚に触れることを防止でき、さらに麻酔薬等の薬物が鼻腔内に吸入されることを防止できるため、口腔診療における安全性を向上させることができる。
【００１１】
本発明の吸水層は、マスク体の底縁上の二分の一の面積に設置するため、マスク体の上の方は、通気性が高い材質となり、患者のスムーズな呼吸を維持でき、こうして本発明口腔医療用マスクの使用の利便性を強化することができる。
隔離層は、通気性フィルター或いは網状布体であるため、患者が装着すると、隔離層を通して吸水層を隔離でき、吸水層が患者の顔面に直接接触することを防止可能であり、こうしてマスクがもともと持つサラッとした手触りを維持でき、本発明口腔医療用マスクは、良好な使用の快適性を達成することができる。
撥水層、隔離層、吸水層は共同で、複数のひだを形成するため、本発明のマスクは患者の顔型により容易に密着し、こうして本発明口腔医療用マスクの使用範囲を広げることができる。
【００１２】
吸水層はマスク体の底縁の上五分の三の面積位置に形成でき、或いは吸水層は開口上方に形成する貫通部に設置し、これにより患者はスムーズな呼吸を維持でき、患者口の周囲に吸水層を設置することで、本発明口腔医療用マスクの利便性及び吸水性を高めることができる。
【００１３】
本発明マスクはさらに、ろ過層を備え、マスクのろ過効果を高めることで、患者が吸入或いは吐き出す空気はマスクにろ過されるため、患者はウィルスや細菌に感染しにくくなり、本発明マスク構造はより優れたろ過性能を備えることができる。
マスクはマスク体及び吸水層を備え、マスク体は底縁を備え、底縁から延伸し、反対に折り返して収容設置袋を形成し、取替え用の吸水層を収容設置袋に収容設置することで、吸水層は交換可能となり、より便利に使用することができる。
【図面の簡単な説明】
【００１４】
【図１】本発明マスクの立体模式図である。
【図２】本発明マスクの平面模式図である。
【図３】本発明マスク第一実施例の断面模式図である。
【図４】本発明マスク第二実施例の断面模式図である。
【図５】本発明マスク第三実施例の組合せ模式図である。
【図６】本発明マスク使用方法のステップフローチャートである。
【図７】本発明マスクの使用状態模式図である。
【図８】本発明マスクの別種の使用状態模式図である。
【図９】本発明マスク第四実施例の組合せ模式図である。
【図１０】本発明マスク第五実施例の組合せ模式図である。
【図１１】本発明マスク第六実施例の組合せ模式図である。
【図１２】本発明マスク第七実施例の断面模式図である。
【図１３】本発明マスク第八実施例の断面模式図である。
【図１４】本発明マスク第九実施例の組合せ模式図である。
【図１５】本発明マスク第十実施例の組合せ模式図である。
【発明を実施するための形態】
【００１５】
以下に図面を参照しながら本発明を実施するための最良の形態について詳細に説明する。
【実施例】
【００１６】
図１〜５に示すように、本発明の口腔医療用マスクは、マスク体1及びバンド体セット2を備える。
該マスク体1の中央位置には、開口10を形成し、該マスク体1は、撥水層11、隔離層12、吸水層13を備え、該撥水層11は、通気性撥水布である。
【００１７】
図３に示すように、該隔離層12は、通気性フィルターで、或いは、図４及び図５に示すように、隔離層12は、網状布体で、網状布体は、非吸水性材質で製造し、吸水層13は、吸水布である。
該吸水層13は、撥水層11と隔離層12の間に配置し、しかも該マスク体1は、底縁15を備え、該吸水層13は、底縁15と開口10との間に設置する。
該撥水層11及び該隔離層12には共同で、開口10を設置し、また、該撥水層11、該隔離層12、該吸水層13は共同で、複数のひだ16を形成する。
【００１８】
前記バンド体セット2は、マスク体1の両側に固定し、該バンド体セット2は、２個の固定バンド21を備える。
該２個の固定バンド21は、マスク体1の両側にそれぞれ固定して設置し、該各固定バンド21の両端は、マスク体1側辺の上、下端にそれぞれ固定し、該固定バンド21は、ゴム紐或いは紐であるが、本実施例に限定するものではない。
【００１９】
本発明の口腔医療用マスクの組合せは、撥水層11、隔離層12、吸水層13を備えるマスク体1を利用し、該隔離層12と該撥水層11には共同で、開口10を設置し、該吸水層13は、該撥水層11と該隔離層12との間に配置し、該バンド体セット2は、該マスク体1の両側に固定する。
【００２０】
これにより、該マスク1には、開口10が設置され、吸水層13を備えるため、患者が口を開けて口腔診療を行っている時に、該開口10及び該吸水層13が、口からあふれ出す汚水を吸収することで、患者が不快に感じたり、或いは外見を汚したりすることもなく、口腔治療をより快適にスムーズに行うことができる。
【００２１】
また、口腔診療時には、該マスク体1は、医療工具、医療スタッフ或いは他の異物が顔の皮膚に触れることを防止でき、さらに麻酔薬等の薬物が鼻腔内に吸入されることを防止できるため、口腔診療における安全性を向上させることができる。
【００２２】
上記した口腔医療用マスクを使用する際のステップは、図６に示し、図７、８には、本発明口腔医療用マスクの使用状態を示す。
先ず、ステップａでは、該マスク体1を人の顔面に装着し、さらに、ステップｂでは、該開口10を開き、該開口10を通して、人の口を露出させ、次に該固定バンド21を耳に掛けると、該マスク体1は、顔面に対応してこれを覆う。
この時、該開口10は、口を露出するため、歯科医が開口10を通して患者の口に対して治療を行う時、口の中の汚水があふれ出しても、該吸水層13が直ちに吸収してくれるため、汚水が患者の顔面へ流れ、或いは衣服を汚すことを回避でき、こうして患者は口腔診療において快適性と清潔性を感じることができる。
【００２３】
また、該吸水層13は、通気しにくいため、本発明の吸水層13は、該マスク体1の底縁15上の二分の一の面積に設置する。
これにより、該マスク体1の上の方は、通気性が高い材質となるため、患者はスムーズに呼吸が行え、本発明口腔医療用マスクの使用の利便性を強化することができる。
【００２４】
また、該隔離層12(図３，図４参照)は、通気性フィルター或いは網状布体で、網状布体は非吸水材質により製造するため、患者が装着すると、該隔離層12を通して該吸水層13を隔離でき、該吸水層13が患者の顔面に直接接触することを防止可能である。
【００２５】
こうして、マスクがもともと持つサラッとした手触りを維持でき、本発明口腔医療用マスクは、良好な使用の快適性を達成することができる。
さらに、該撥水層11、該隔離層12、該吸水層13は共同で、複数のひだ16を形成するため、本発明のマスクは患者の顔型により容易に密着し、こうして本発明口腔医療用マスクの使用範囲を広げることができる。
【００２６】
図９に示すように、本発明マスクの第四実施例では、吸水層13は、マスク体1の底縁15上五分の三の面積位置に設置する。
これにより、該マスク体1の上の方は、通気性が高い材質となるため、患者はスムーズな呼吸を維持でき、また患者の口の周囲には、吸水層13を設置することで、本発明口腔医療用マスクの利便性及び吸水性を高めることができる。
【００２７】
図１０に示すように、本発明マスクの第五実施例では、吸水層13は、開口10上方に形成する貫通部131に設置し、該貫通部131は、患者の鼻に対応して配置する。
これにより、該マスク体1の、鼻に対応する部分は、通気性が高い材質となり、患者はスムーズな呼吸を維持でき、また患者の口の周囲には、吸水層13を設置することで、本発明口腔医療用マスクの利便性及び吸水性を高めることができる。
【００２８】
図１１に示すように、本発明マスクの第六実施例では、中撥水層11、隔離層12(図３，図４参照)及び吸水層13にひだ16を形成せず、平面状とすることができる。
これにより、患者に口腔診療を行う時には、該開口10及び該吸水層13により、口からあふれ出す汚水を吸収し、口腔治療をより快適にスムーズに行うことができる。
【００２９】
図１２、１３に示すように、本発明マスクの第七、第八実施例では、本発明口腔医療用マスクはさらに、ろ過層14を備え、該ろ過層14は、撥水層11と吸水層13との間に配置し、或いは該ろ過層14は、吸水層13と隔離層12との間に配置する。
該ろ過層14は、通気性を備えたフィルターで、撥水層11、隔離層12、吸水層13及びろ過層14は共同で、複数のひだ16を形成する。
これにより、本発明口腔医療用マスク内には、ろ過層14を設置し、マスクのろ過効果を高めることで、患者が吸入或いは吐き出す空気はマスクにろ過されるため、患者はウィルスや細菌に感染しにくくなり、本発明マスク構造はより優れたろ過性能を備えることができる。
【００３０】
図１４に示すように、本発明マスクの第九実施例では、マスクは、マスク体1及び吸水層13'を備え、該マスク体1中央位置には、開口10を設置し、吸水層13' は、吸水布で、該マスク体1上に設置し、該開口10周囲に対応して配置する。
該マスク体1は、底縁15を備え、該底縁15から延伸し、反対に折り返して収容設置袋17を形成し、取替え用の吸水層13'を該収容設置袋17に収容設置する。
これにより、該吸水層13'は交換可能となり、より便利に使用することができ、同時に、上記と同様の機能及び効果を達成することができる。
【００３１】
図１５に示すように、本発明マスクの第十実施例では、マスクは、マスク体1及び吸水層13'を備え、該マスク体1中央位置には、開口10を設置し、該吸水層13’は、吸水布で、該マスク体1上に設置し、該開口10周囲に対応して配置する。
本発明マスクはさらに、隔離層12’を備え、該隔離層12'は、通気性フィルター或いは網状布体で、該マスク体1は、底縁15を備え、該隔離層12'及び該吸水層13'は共同で、該底縁15と該開口10との間に固定し、これにより、上記と同様の機能及び効果を達成することができる。
【００３２】
上記の本発明の名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする。
【産業上の利用可能性】
【００３３】
本発明は特許の要件である新規性を備え、従来の同類製品に比べ十分な進歩性を有し、実用性が高く、社会のニーズに合致しており、産業上の利用価値は非常に大きい。
【符号の説明】
【００３４】
1  マスク体
10  開口
11  撥水層
12、12’  隔離層
13、13’  吸水層
131  貫通部
14  ろ過層
15  底縁
16  ひだ
17  収容設置袋
2  バンド体セット
21  固定バンド
ステップa
ステップb
【図１】
2014061371.tif 000003
【図２】
2014061371.tif 000004
【図３】
2014061371.tif 000005
【図４】
2014061371.tif 000006
【図５】
2014061371.tif 000007
【図６】
2014061371.tif 000008
【図７】
2014061371.tif 000009
【図８】
2014061371.tif 000010
【図９】
2014061371.tif 000011
【図１０】
2014061371.tif 000012
【図１１】
2014061371.tif 000013
【図１２】
2014061371.tif 000014
【図１３】
2014061371.tif 000015
【図１４】
2014061371.tif 000016
【図１５】
2014061371.tif 000017